(57)【要約】【課題】障壁面（２０）に隣接するコネクタ挿入部３０に対して、障壁面に平行な挿抜軸方向４０Ａでコネクタ４０を挿抜できるコネクタ挿抜治具を提供する。【解決手段】コネクタ挿抜治具１は、コネクタ４０を把持する把持部１１と、コネクタ挿抜治具１を掴むための取手部１２と、把持部と取手部を接続する接続部１３とを備え、把持部１１は、２つの把持板１１Ａ、１１Ｂを有し、各把持板が障壁面に対して平行かつ挿抜軸方向に対して垂直に動いてコネクタを挟むように構成され、取手部１２は、把持部１１よりも障壁面から遠くに位置するように構成される。【選択図】図１
2015220168.tif 000002
【特許請求の範囲】
【請求項１】
障壁面に隣接するコネクタ挿入部に対して、前記障壁面に平行な挿抜軸方向でコネクタを挿抜するためのコネクタ挿抜治具であって、
前記コネクタを把持する把持部と、
前記コネクタ挿抜治具を掴むための取手部と、
前記把持部と前記取手部を接続する接続部とを備え、
前記把持部は、
２つの把持板を有し、前記各把持板が前記障壁面に対して平行かつ前記挿抜軸方向に対して垂直に動いて前記コネクタを挟むように構成され、
前記取手部は、
前記把持部よりも前記障壁面から遠くに位置するように構成されたことを特徴とするコネクタ挿抜治具。
【請求項２】
前記コネクタを挟むための外力が加わる外力付加板が前記各把持板に連設されたことを特徴とする請求項１記載のコネクタ挿抜治具。
【請求項３】
前記コネクタは前記障壁面に平行な平行面を有し、
前記平行面に対向するガイド板が前記一方の把持板に連設されたことを特徴とする請求項１または２記載のコネクタ挿抜治具。
【請求項４】
前記コネクタに引っかかる突起部を備える部材が前記一方の把持板に連設されたことを特徴とする請求項１ないし３のいずれかに記載のコネクタ挿抜治具。
【発明の詳細な説明】
【技術分野】
【０００１】
本発明は、障壁面に隣接するコネクタ挿入部に対して、障壁面に平行な挿抜軸方向でコネクタを破損することなく挿抜できるコネクタ挿抜治具に関するものである。
【背景技術】
【０００２】
図７は、壁面に取り付けられた機器にコネクタを挿抜する様子を示す図である。
【０００３】
壁面２０に取り付けられた機器２１における壁面２０に垂直な面２１Ｖにはコネクタ挿入部３０が設けられ、コネクタ挿入部３０に対し、手でコネクタ４０を掴んで挿抜する。コネクタ挿入部３０は壁面２０に垂直な面２１Ｖに設けられるので、例えば、壁面２０に隣接し、コネクタ４０の挿抜軸方向４０Ａは、壁面２０に平行である。
【先行技術文献】
【非特許文献】
【０００４】
【非特許文献１】NTT技術ジャーナル、2010年10月
【特許文献】
【０００５】
【特許文献１】特開２０００−３２９９４６号公報
【発明の概要】
【発明が解決しようとする課題】
【０００６】
ところで、機器２１の設置状況は千差万別であり、コネクタ挿入部３０が壁面２０に近く、コネクタ４０と壁面２０の間に手が入るだけの隙間がない場合がある。この場合、コネクタを掴むことができず、挿抜は非常に困難である。また、無理にコネクタを掴もうとすると、隣接するコネクタを圧迫して、コネクタを破損したり、他のケーブルに手が干渉し、通信に影響を与える可能性がある。
また、特許文献１の治具を使用した場合、治具の形状が、直線状であるため、コネクタやケーブルに手が干渉する可能性がある。干渉する場合には、コネクタの挿抜ができない場合がある。また、狭隘な場所に機器２１が設置されている場合は、治具が使用できない場合がある。
前述のケーブルで光ファイバが使われている場合、ケーブルに手が干渉し、光ファイバに曲げや屈曲を加え、光ファイバに損失を与えることで、通信故障が発生することは知られている。
【０００７】
本発明は、上記の課題に鑑みてなされたものであり、その目的とするところは、障壁面に隣接するコネクタ挿入部に対して、障壁面に平行な挿抜軸方向でコネクタを破損することなく挿抜できるコネクタ挿抜治具を提供することにある。
【課題を解決するための手段】
【０００８】
上記の課題を解決するために、本発明は、障壁面に隣接するコネクタ挿入部に対して、前記障壁面に平行な挿抜軸方向でコネクタを挿抜するためのコネクタ挿抜治具であって、
前記コネクタを把持する把持部と、前記コネクタ挿抜治具を掴むための取手部と、前記把持部と前記取手部を接続する接続部とを備え、前記把持部は、２つの把持板を有し、前記各把持板が前記障壁面に対して平行かつ前記挿抜軸方向に対して垂直に動いて前記コネクタを挟むように構成され、前記取手部は、前記把持部よりも前記障壁面から遠くに位置するように構成されたことを特徴とする。
【発明の効果】
【０００９】
本発明のコネクタ挿抜治具によれば、障壁面に隣接するコネクタ挿入部に対して、障壁面に平行な挿抜軸方向でコネクタを破損することなくかつ、他のケーブルに手が干渉することなく挿抜できる。また挿抜の際に、隣接するコネクタの破損やケーブルに対して曲げや屈曲させる可能性がない。その結果、コネクタ破損やケーブルの曲げや屈曲が引き起こす、通信断や故障を防止することができる。
【図面の簡単な説明】
【００１０】
【図１】本実施の形態に係るコネクタ挿抜治具１の斜視図である。
【図２】図１に示すコネクタ挿抜治具１の平面図である。
【図３】図１に示すコネクタ挿抜治具１の側面図である。
【図４】図１に示すコネクタ挿抜治具１の正面図である。
【図５】コネクタを把持したコネクタ挿抜治具１の部分的な斜視図である。
【図６】コネクタを把持する前のコネクタ挿抜治具１の様子を示す図である。
【図７】壁面に取り付けられた機器に対してコネクタを挿抜する様子を示す図である。
【発明を実施するための形態】
【００１１】
以下、本発明の実施の形態について図面を参照して説明する。
図１は、本実施の形態に係るコネクタ挿抜治具１の斜視図である。図２は、コネクタ挿抜治具１の平面図であり、図３は、コネクタ挿抜治具１の側面図であり、図４は、コネクタ挿抜治具１の正面図である。図５は、コネクタを把持したコネクタ挿抜治具１の部分的な斜視図である。
【００１２】
（コネクタ挿抜治具１の構成）
壁面２０（障壁面）に取り付けられた機器２１における壁面２０に垂直な面２１Ｖにはコネクタ挿入部３０が設けられ、コネクタ挿入部３０に対するコネクタ４０の挿抜の際にコネクタ挿抜治具１が用いられる。コネクタ挿入部３０は、壁面２０に垂直な面２１Ｖに設けられるので、例えば、壁面２０に隣接しており、コネクタ４０の挿抜軸方向４０Ａは、壁面２０に平行である。コネクタ４０には、例えばケーブル４１が接続される。なお、障壁面は壁面に限らず、機器の外装面など、他の部材であってもよい。
【００１３】
コネクタ挿抜治具１は、コネクタ４０を把持する把持部１１と、コネクタ挿抜治具１を掴むための取手部１２と、把持部１１と取手部１２を接続する接続部１３とを備える。
把持部１１は、２つの把持板１１Ａ、１１Ｂを有し、各把持板１１Ａ、１１Ｂが壁面２０に対して平行かつ挿抜軸方向４０Ａに対して垂直に動いてコネクタ３０を挟むように構成される。
取手部１２は、コネクタ４０を把持した把持部１１よりも壁面２０から遠くに位置するように構成される。
【００１４】
コネクタ挿抜治具１は、例えば、金属板を所定形状に抜き、さらに曲げて製作した２つの部材、つまり、把持板１１Ａを含む部材と、把持板１１Ｂを含む部材を取手部１２の位置で接続することにより製作される。
【００１５】
各把持板１１Ａ、１１Ｂには、コネクタ４０を挟むための外力が加わる外力付加板１１Ｃ、１１Ｄがそれぞれ連設される（連なって設けられる）。外力付加板１１Ｃ、１１Ｄは、コネクタ４０を挟んだ把持板よりも壁面２０から遠くに位置するように構成される。
【００１６】
コネクタ４０は、壁面２０に平行な平行面４０Ｂを有し、平行面４０Ｂに対向するガイド板１１Ｅが把持板１１Ａ、１１Ｂの一方に連設される。例えば、ガイド板１１Ｅは、外力付加板１１Ｄを介して、把持板１１Ｂに連設される。
【００１７】
把持板１１Ａ、１１Ｂの一方には、コネクタ４０に引っかかる突起部１１Ｆを備える部材１１Ｇが連設される。例えば、部材１１Ｇは、外力付加板１１Ｃを介して、把持板１１Ａに連設される。
【００１８】
把持板１１Ａ、１１Ｂのコネクタ側の面には、シート状のゴムなどの弾性部材１１Ｈ、１１Ｊがそれぞれ配置される。弾性部材は硬質なスポンジなどでもよい。
【００１９】
図６に示すように、コネクタ挿抜治具１に外力を加えていない状態において、少なくとも弾性部材１１Ｈ、１１Ｊとコネクタ４０の間にそれぞれ隙間ができる。また、コネクタ挿抜治具１に外力を加えていない状態において、少なくとも把持板１１Ａ、１１Ｂと隣のコネクタ４０との間にそれぞれ隙間ができる。取手部１２を軽く握り、外力付加板１１Ｃ、１１Ｄに軽く手を添えた場合でも同様である。もしくは、取手部１２、あるいは接続部１３を片手で軽く握った場合でも同様である。
【００２０】
よって、取手部１２を軽く握り、外力付加板１１Ｃ、１１Ｄに手を添え、もしくは、取手部１２、あるいは接続部１３を片手で軽く握り、把持板１１Ａ、１１Ｂや弾性部材１１Ｈ、１１Ｊがコネクタ４０の位置に到達させようとした場合、把持板や弾性部材が隣接するコネクタに干渉（接触）して破損するのを極力防止でき、他のケーブルに干渉することなく把持板や弾性部材をコネクタの位置に容易に到達させることができる。
【００２１】
（コネクタ挿抜治具１の作用）
図１に示すように、コネクタ４０を挿抜する際には、取手部１２を軽く握り、もしくは、取手部１２、あるいは接続部１３を片手で軽く握り、外力付加板１１Ｃ、１１Ｄに軽く手を添え、把持板１１Ａをコネクタ４０の上面に対向させる。このとき、把持板１１Ｂはコネクタ４０の下面に対向する。取手部１２は、コネクタ４０を把持した把持部１１よりも壁面２０から遠くに位置するので、取手部１２を握った手がケーブル４１などに接触する可能性が低く、好ましい。また、把持板をコネクタと壁面の隙間に入れる必要がないので、コネクタ挿入部３０と壁面が近接している場合でも、このように把持板を配置できる。
【００２２】
次に、外力付加板１１Ｃ、１１Ｄを手で握り、もしくは、取手部１２、あるいは接続部１３を片手で軽く握り、それぞれ下向き、上向きに外力を加える。すると、把持板１１Ａ、１１Ｂは、それぞれ下向き、上向きに、つまり、壁面２０に対して平行かつ挿抜軸方向４０Ａに対して垂直に動き、弾性部材１１Ｈ、１１Ｊを介して、コネクタ３０を挟む。
【００２３】
このとき、弾性部材はコネクタの形状に合わせて変形するので、コネクタを強く挟むことができ、コネクタ挿抜治具がコネクタから外れるのを防止できる。
【００２４】
また、外力付加板を設け、さらに、外力付加板を把持板よりも壁面から遠くに位置する構成としたので、コネクタに手が干渉する可能性が低く、把持板に対し容易に力を加えることができる。よって、コネクタ挿抜治具がコネクタから外れるのを防止できる。
【００２５】
また、このとき、ガイド板１１Ｅが、コネクタ４０の平行面４０Ｂに対向する。よって、把持部１１の位置決めが容易となり、コネクタを把持しやすくなる。
【００２６】
また、図らずも、コネクタを把持した把持部を中心にコネクタが回転することがある。コネクタが回転すると、コネクタをつかみ直す必要があり、作業時間が余分にかかる。コネクタが回転することなく、強く把持させることもできるが、強く把持させれば、コネクタ外部を破損させることもある。図１では取手部１２が壁面２０に近づくように回転しようとする場合があるが、ガイド板１１Ｅがコネクタに接触するので、回転を防止できる。
【００２７】
また、把持部でコネクタを把持した際、突起部１１Ｆがコネクタ４０の窪みに引っかかる。
【００２８】
こうして、把持部１１がコネクタ４０を把持したなら、取手部に手を添えたまま、また、外力付加板を握ったまま、もしくは、取手部１２、あるいは接続部１３を片手で軽く握ったまま、コネクタ挿抜治具１をコネクタ挿入部３０から離れるように、つまり、挿抜軸方向４０Ａの方向に移動させる。これにより、コネクタ挿入部３０に対してコネクタ４０を挿抜できる。
【００２９】
前述のように、コネクタを把持した際、コネクタ挿抜治具がコネクタから外れるのを弾性部材や外力付加板により防止し、コネクタ挿抜治具が回転するのをガイド板の作用により防止し、取手部を壁面から遠ざけてケーブルなどとの接触を防止しているので、コネクタの挿抜の際にも、同様の効果が得られる。
【００３０】
また、突起部１１Ｆがコネクタ４０の窪みに引っかかっているので、コネクタを抜く際にコネクタ挿抜治具がコネクタから外れるのを一層確実に防止でき、コネクタを抜きやすくできる。
また、前述のとおり、挿入と抜去を１つの工具で行うことができるため、挿入用と抜去用で別々の工具を準備する必要もない効果に加え、抜去後、同一のコネクタを挿入する場合、工具を交換する必要がなく、作業を短時間で行うことができる。
【００３１】
以上のように、コネクタ挿抜治具１は、障壁面（２０）に隣接するコネクタ挿入部３０に対して、障壁面に平行な挿抜軸方向でコネクタ４０を挿抜するためのコネクタ挿抜治具であって、コネクタを把持する把持部１１と、コネクタ挿抜治具を掴むための取手部１２と、把持部と取手部を接続する接続部１３とを備え、把持部１１は、２つの把持板１１Ａ、１１Ｂを有し、各把持板が障壁面に対して平行かつ挿抜軸方向に対して垂直に動いてコネクタを挟むように構成され、取手部１２は、把持部１１よりも障壁面から遠くに位置するように構成される。よって、コネクタを確実に掴むことができ、障壁面に隣接するコネクタ挿入部に対して、障壁面に平行な挿抜軸方向でコネクタを破損することなく挿抜できる。
【００３２】
また、コネクタを挟むための外力が加わる外力付加板が各把持板に連設されたので、コネクタ挿抜治具がコネクタから外れるのを防止できる。
【００３３】
また、コネクタは障壁面に平行な平行面４０Ｂを有し、平行面４０Ｂに対向するガイド板１１Ｅが一方の把持板に連設されたので、把持部の位置決めが容易であり、コネクタ挿抜治具の回転を防止できる。
【００３４】
また、コネクタに引っかかる突起部１１Ｆを備える部材１１Ｇが一方の把持板に連設されたので、コネクタを抜きやすくできる。
【００３５】
なお、本実施の形態に係るコネクタ挿抜治具１は、把持板１１Ａを含む部材と、把持板１１Ｂを含む部材を取手部１２の位置で接続して製作することとしたが、例えば、金属板を所定形状に抜き、さらに例えばコの字状に曲げることでコネクタ挿抜治具１を製作してもよい。コの字状に曲げるには板厚を薄くする必要があり、強度が弱くなるが、ガイド板１１Ｅを設ければ、これが補強にもなるので、ガイド板１１Ｅを設けるのが好ましい。またコネクタ挿抜治具に適切な強度が得られるならば、金属以外の材質、例えばポリカーボネードといったプラスチックを使用することも可能である。
【００３６】
また、コネクタ挿抜治具１は、弾性部材を備えることとしたが、例えば、コネクタが硬質ゴムなどを材料とするものであるなら、弾性部材を設けなくてもよい。
【００３７】
また、コネクタ挿抜の容易さが担保できれば、外力付加板、ガイド板、突起部は不要である。
【符号の説明】
【００３８】
１  コネクタ挿抜治具
１１  把持部
１２  取手部
１３  接続部
１１Ａ、１１Ｂ  把持板
１１Ｃ、１１Ｄ  外力付加板
１１Ｅ  ガイド板
１１Ｇ  突起部を備える部材
１１Ｆ  突起部
２０  壁面（障壁面の一例）
３０  コネクタ挿入部
４０  壁面
４０Ａ  挿抜軸方向
４０Ｂ  壁面に平行なコネクタの平行面
【図１】
2015220168.tif 000003
【図２】
2015220168.tif 000004
【図３】
2015220168.tif 000005
【図４】
2015220168.tif 000006
【図５】
2015220168.tif 000007
【図６】
2015220168.tif 000008
【図７】
2015220168.tif 000009